(57)【要約】【課題】充電時に使い勝手の良い電気掃除機を提供することを目的とするものである。【解決手段】吸引風を発する電動送風機２及び前記電動送風機２に電源を供給する二次電池３を内蔵し、使用者が握る把手部６と二次電池３に接続した本体端子１０とを有する掃除機本体１を備え、前記把手部６と前記本体端子１０は前記掃除機本体１において略対向する位置に配置されてなるとともに、前記掃除機本体１の重心Ｇが、前記把手部６より前記本体端子１０側に位置していることで、使用者が前記把手部６を握り前記掃除機本体１を持ち上げたとき、前記本体端子１０が略下方または斜め下方を向くため、使用者が前記把手部６を握り前記掃除機本体１を持ち上げたとき、楽に充電状態にすることができる。【選択図】  図２
2004229711.tif 000002
【特許請求の範囲】
【請求項１】
吸引風を発する電動送風機及び前記電動送風機に電源を供給する二次電池を内蔵し、使用者が握る把手部と二次電池に接続した本体端子とを有する掃除機本体を備え、前記把手部と前記本体端子は前記掃除機本体において略対向する位置に配置されてなるとともに、前記掃除機本体の重心が、前記把手部より前記本体端子側に位置していることで、使用者が前記把手部を握り前記掃除機本体を持ち上げたとき、前記本体端子が略下方または斜め下方を向く電気掃除機。
【請求項２】
電動送風機が吸引した塵埃を捕集する集塵部と、前記集塵部を覆う集塵部蓋とを備え、前記集塵部蓋に把手部を一体的に形成した請求項１記載の電気掃除機。
【請求項３】
集塵部の上面に集塵把手部を把手部と上下方向に重なるように形成した請求項２記載の電気掃除機。
【請求項４】
掃除機本体の重心位置を、前記掃除機本体の幅方向の略中央に設けた請求項１〜３のいずれか１項に記載の電気掃除機。
【請求項５】
二次電池と接続した本体端子を保持する本体端子部を掃除機本体の後面に設け、前記本体端子部の外郭周囲を傾斜面で形成した請求項１〜４のいずれか１項に記載の電気掃除機。
【請求項６】
掃除機本体の後面を載置する載置部と、前記載置部の近傍に設けられ、前記掃除機本体の後面を前記載置部に載置したとき、前記掃除機本体の底面を保持する保持部Ａとを有する充電台を備え、前記保持部Ａを前記載置部方向に向かって傾斜させた請求項１〜５のいずれか１項に記載の電気掃除機。
【請求項７】
掃除機本体の後面を載置部に載置したとき、前記掃除機本体の後方を保持する保持部Ｂを前記載置部の近傍に設け、保持部Ａと前記保持部Ｂで前記掃除機本体を保持したとき、前記保持部Ａが前記掃除機本体の重心位置近傍或いはそれより前方に位置する請求項６記載の電気掃除機。
【請求項８】
掃除機本体底面かつ前記掃除機本体の重心位置近傍或いはそれより前方に設けた走行手段と、前記掃除機本体の後面を載置する載置部と前記載置部の近傍に凸部を有する充電台とを備え、前記凸部の上面に前記走行手段を支持しながら前記掃除機本体の後面を前記載置部に載置する請求項１〜５のいずれか１項に記載の電気掃除機。
【請求項９】
掃除機本体底面かつ前記掃除機本体の重心位置近傍或いはそれより前方に設けた凹部と、前記掃除機本体の後面を載置する載置部と前記載置部の近傍に凸部を有する充電台とを備え、前記凸部の上面に前記凹部を支持しながら前記掃除機本体の後面を前記載置部に載置する請求項１〜５のいずれか１項に記載の電気掃除機。
【請求項１０】
凹部を略円弧状に形成した請求項９記載の電気掃除機。
【発明の詳細な説明】
【０００１】
【発明の属する技術分野】
本発明は、一般家庭で使用される電気掃除機に関するものである。
【０００２】
【従来の技術】
従来の電気掃除機としては、図１３に示すように、掃除機本体５１の前方には、塵埃を吸引する吸気口５２と吸気口５２に連通する集塵部５３とが、また、前記掃除機本体５１の上方には、把手部５４がそれぞれ設けられている。さらに、前記集塵部５３の前方には、集塵把手部５５が把手部５４と垂直方向に構成されている。前記把手部５４は、掃除機本体５１の重心の上方に位置する状態で設けられている（例えば、特許文献１参照）。
【０００３】
【特許文献１】
特開２００２−２８１２１号公報
【０００４】
【発明が解決しようとする課題】
しかしながら、上記従来の構成では、掃除機本体５１の運搬時には、把手部５４を持って移動し、充電時には、掃除機本体５１の後部を下側に向け直立状態にして充電台に載置する為、集塵把手部５５を握って持ち上げなければならず使用性が低かった。また、集塵把手部５５は吸気口５２の下側にある為、吸気口５２に接続されたホース（図示せず）が邪魔となり集塵把手部５５を握りにくいという課題を有していた。
【０００５】
本発明は、上記従来の課題を解決するもので、充電時に使い勝手の良い電気掃除機を提供することを目的とするものである。
【０００６】
【課題を解決するための手段】
上記従来の課題を解決するために本発明は、吸引風を発する電動送風機及び前記電動送風機に電源を供給する二次電池を内蔵し、使用者が握る把手部と二次電池に接続した本体端子とを有する掃除機本体を備え、前記把手部と前記本体端子は前記掃除機本体において略対向する位置に配置されてなるとともに、前記掃除機本体の重心が、前記把手部より前記本体端子側に位置していることで、使用者が前記把手部を握り前記掃除機本体を持ち上げたとき、前記本体端子が略下方または斜め下方を向くもので、充電時には、掃除状態のまま掃除機本体の把手部を握り持ち上げると、前記本体端子が略下方または斜め下方を向く、その状態にて充電台に前記掃除機本体を仮載置できる。その仮載置し使用者が把手部を持った状態で、さらに掃除機本体を上方へ軽く引っ張ると充電状態となるので、容易に１個の把手部を握って操作するだけで、楽に充電状態にすることができる。
【０００７】
【発明の実施の形態】
請求項１記載の発明は、吸引風を発する電動送風機及び前記電動送風機に電源を供給する二次電池を内蔵し、使用者が握る把手部と二次電池に接続した本体端子とを有する掃除機本体を備え、前記把手部と前記本体端子は前記掃除機本体において略対向する位置に配置されてなるとともに、前記掃除機本体の重心が、前記把手部より前記本体端子側に位置していることで、使用者が前記把手部を握り前記掃除機本体を持ち上げたとき、前記本体端子が略下方または斜め下方を向くもので、充電時には、掃除状態のまま掃除機本体の把手部を握り持ち上げると、前記本体端子が略下方または斜め下方を向く、その状態にて充電台に前記掃除機本体を仮載置できる。その仮載置し使用者が把手部を持った状態で、さらに掃除機本体を上方へ軽く引っ張ると充電状態となるので、容易に１個の把手部を握って操作するだけで、楽に充電状態にすることができる。
【０００８】
請求項２記載の発明は、電動送風機が吸引した塵埃を捕集する集塵部と、前記集塵部を覆う集塵部蓋とを備え、前記集塵部蓋に把手部を一体的に形成したもので、成型工数や組立工数を減少することができ安価にできる。
【０００９】
請求項３記載の発明は、集塵部の上面に集塵把手部を把手部と上下方向に重なるように形成したもので、集塵把手部と把手部が二重に重なっている為、強度が十分確保できるとともに、厚みが増すため掴んだ際の感触が良化する。
【００１０】
請求項４記載の発明は、掃除機本体の重心位置を前記掃除機本体の幅方向の略中央に設けたもので、把手部を握って掃除機本体を持ち上げると重心がほぼ中央にあるので、バランス良く持つことができ、容易に且つ確実に充電状態にすることができる。
【００１１】
請求項５記載の発明は、二次電池と接続した本体端子を保持する本体端子部を掃除機本体の後面に設け、前記本体端子部の外郭周囲を傾斜面で形成したもので、充電する時、掃除機本体が正規の充電位置からずれていても、充電台に設けている充電端子を保持する充電端子部と本体端子部の傾斜面が当接し、正規の充電位置に誘われるので、容易に且つ確実に充電状態にすることができる。
【００１２】
請求項６記載の発明は、掃除機本体の後面を載置する載置部と、前記載置部の近傍に設けられ、前記掃除機本体の後面を前記載置部に載置したとき、前記掃除機本体の底面を保持する保持部Ａとを有する充電台を備え、前記保持部Ａを前記載置部方向に向かって傾斜させたもので、把手部を握って適当に掃除機本体を充電台に載置した時、保持部Ａの傾斜に沿って載置部中央へ誘われるので、適当に掃除機本体を充電台に載置しても容易に且つ確実に充電状態にすることができる。
【００１３】
請求項７記載の発明は、掃除機本体の後面を載置部に載置したとき、前記掃除機本体の後方を保持する保持部Ｂを前記載置部の近傍に設け、保持部Ａと前記保持部Ｂで前記掃除機本体を保持したとき、前記保持部Ａが前記掃除機本体の重心位置近傍或いはそれより前方に位置するもので、把手部を握って掃除機本体を充電台に載置した時、保持部Ａ及び保持部Ｂで掃除機本体を保持した状態が安定するので、容易に且つ確実に充電状態にすることができる。
【００１４】
請求項８記載の発明は、掃除機本体底面かつ前記掃除機本体の重心位置近傍或いはそれより前方に設けた走行手段と、前記掃除機本体の後面を載置する載置部と前記載置部の近傍に凸部を有する充電台とを備え、前記凸部の上面に前記走行手段を支持しながら前記掃除機本体の後面を前記載置部に載置するもので、把手部を握って充電台に載置する際、充電台に設けた凸部の引掛け部に掃除機本体の走行手段を引掛けると、引掛け部を中心にして掃除機本体の後部が下側を向くよう回転するので、掃除機本体を充電台に載置すると自然に直立し充電状態になり、楽に且つ確実に充電状態にすることができる。
【００１５】
請求項９記載の発明は、掃除機本体底面かつ前記掃除機本体の重心位置近傍或いはそれより前方に設けた凹部と、前記掃除機本体の後面を載置する載置部と前記載置部の近傍に凸部を有する充電台とを備え、前記凸部の上面に前記凹部を支持しながら前記掃除機本体の後面を前記載置部に載置するもので、把手部を握って充電台に載置する際、充電台に設けた凸部に掃除機本体に設けた凹部を引掛けると、その引掛け部を中心にして掃除機本体の後部が下側を向くよう回転するので、掃除機本体を充電台に載置すると自然に直立し充電状態になり、楽に且つ確実に充電状態にすることができる。
【００１６】
請求項１０記載の発明は、凹部を略円弧状に形成したもので、把手部を握って充電台に載置する際、充電台に設けた凸部に掃除機本体に設けた凹部を引掛けると、滑らかにその引掛け部を中心にして掃除機本体の後部が下側を向くよう回転するので、掃除機本体を充電台に載置すると自然に直立し充電状態になり、楽に且つ確実に充電状態にすることができる。
【００１７】
【実施例】
以下、本発明の実施例について、図面を参照しながら説明する。なお、本実施例においては、後に説明する走行手段を被掃除面に設置させた状態において、前後方向を定義している。
【００１８】
（実施例１）
図１〜図８は、本発明の第１の実施例における電気掃除機及び充電台を示すものである。
【００１９】
図１、図２において、１は掃除機本体であり、吸引風を発する電動送風機２及び前記電動送風機２へ電源を供給する二次電池３を内蔵し、前記電動送風機２の吸気上流側に着脱可能に装着され吸引した塵埃を捕集する集塵部４を設け、その上方には、前記集塵部４の上面を覆うよう、上下方向に回動自在な集塵部蓋５を設けている。集塵部蓋５には、使用者が掃除機本体１を握り持ち運ぶための把手部６を、前記掃除機本体１の前方上面なる位置に一体的に形成し、図５に示すように、集塵部４の上面にも集塵把手部７を一体的に形成している。集塵部４を集塵部蓋５が覆った状態では、把手部６が上方で集塵把手部７が下方の位置関係で接触かつ二重に重なるよう配置している。前記把手部６は、掃除機本体１幅方向の略中央に設けた重心位置Ｇより前方かつ上方に設けている。なお、前記重心位置Ｇは、重量の大きい前記電動送風機２及び前記二次電池３の近傍に位置している。
【００２０】
また、掃除機本体１の底面には、走行手段であるキャスターローラ８、後方の左右にはローラ９が回動自在に装着してあり、後方後面には、図６に示すように、二次電池３に接続する本体端子１０を略凹状の本体端子部１１に保持するとともに、前記本体端子部１１の外郭周囲を傾斜面１２で形成している。なお、前記本体端子１０は前記把手部６と前記掃除機本体１において略対向する位置に配置されている。
【００２１】
次に、図３、図４に示すように、充電台１３は上ケース１４と下ケース１５をネジ止め（図示せず）し、一体化して構成しており、上ケース１４の上面には掃除機本体１の後面の形状に合わせて構成し、掃除機本体１の後面を安定して載置できる載置部１６を形成している。前記載置部１６近傍に掃除機本体１の把手部６を持って載置した時、掃除機本体１の下面を保持する保持部Ａ１７を掃除機本体１の下面形状に合わせ、載置部１６の中央に向かって傾斜して設けてある。保持部Ａ１７は、掃除機本体１を充電台１３へ載置している時の掃除機本体１の重心位置Ｇ近傍に形成している。載置部１６には、充電端子１８を内部に保持する略凸状の充電端子部１９が設けてあり、この充電端子１８は充電台１３に内蔵した充電用回路２０に接続してある。
【００２２】
また、図８に示すように、載置部１６の充電端子部１９と反対側には、充電状態で掃除機本体１を保持する保持部Ｂ２１を、掃除機本体１を充電台１３に挿入する方向（図８矢印方向ｃ）に倒して形成したパイル毛からなる起毛布２２で形成し、載置部１６端部から中央に向かって傾斜して設けている。
【００２３】
上記構成による作用は以下のとおりである。
【００２４】
走行手段であるキャスターローラ８、後方の左右にはローラ９を被掃除面に接地させた掃除形態より、把手部６および集塵把手部７を使用者が握って上方へ持ち上げると、前記把手部６と前記本体端子１０は前記掃除機本体１において略対向する位置に配置されてなるとともに、前記掃除機本体１の重心位置Ｇが、前記把手部６より前記本体端子１０側に位置していることで、使用者が前記把手部６を握り前記掃除機本体１を持ち上げたとき、前記本体端子１０が略下方または斜め下方を向く状態となる。
【００２５】
その後、掃除機本体１の内部の二次電池３を充電するため、前記掃除機本体１を前記傾斜状態のままで、載置部１６近傍に適当に置き、把手部６を軽く引っ張る（図３矢印方向ａ）と掃除機本体１外郭が保持部Ｂ２１を滑り（図３矢印方向ｂ）、かつ、掃除機本体１を載置部１６中央に誘導しながら本体端子部１１が充電端子部１９に係合し、本体端子１０が充電端子１８と接触して充電状態になる。
【００２６】
したがって、充電する時も掃除状態のまま掃除機本体１の上方にある把手部６を握り、持ち上げることができるので、容易に把手部６を握ることができる。また、１つの把手部６のみで、前記動作が容易にできるため、低コストを実現しつつ、使用性も向上できる。
【００２７】
また、掃除機本体１の重心位置Ｇが掃除機本体１幅方向の略中央にあり、本体端子部１１の外郭周囲を傾斜面１２で形成していると共に、充電台１３に設けた保持部Ａ１７を載置部１６中央に向かって傾斜させ、掃除機本体１の重心位置Ｇ近傍を保持するように構成しているので、バランス良く掃除機本体１を持つことができ、充電時、端子部同士がずれても傾斜面１２が誘いとなると共に、掃除機本体１の載置状態が安定し、端子部同士を合わせるように狙うことなく、掃除機本体１を充電台１３の載置部１６近傍に適当に置き、把手部６を軽く引っ張るだけで確実かつ容易に充電状態にすることができる。
【００２８】
集塵部蓋５と把手部６を一体的に形成しているので、成型工数や組立工数を減少することができ安価にできる。集塵把手部７と把手部６が重なるように配置しているので、強度が十分確保できるとともに、厚みが増すため掴んだ際の感触が良化する。
【００２９】
なお、本実施例では、保持部Ａ１７を、掃除機本体１を充電台１３へ載置している時の掃除機本体１の重心位置Ｇ近傍に形成したが、重心位置Ｇより前方に形成しても同様の効果が得られるのは言うまでもない。
【００３０】
なお、本実施例においては、本体端子１０を掃除機本体１の後方後面に、把手部６を掃除機本体１の上方上面に設けているが、前記把手部６と前記本体端子１０を前記掃除機本体１において略対向する位置に配置して、前記掃除機本体１の重心位置Ｇが、前記把手部６より前記本体端子１０側に位置していれば、本実施例の効果は発揮できる。
【００３１】
（実施例２）
図９〜図１２は、本発明の第２の実施例における電気掃除機及び充電台の断面図を示すものである。なお、上記実施例と同一構成部品については同一符号を付して、その説明を省略する。
【００３２】
掃除機本体１の底面において、掃除機本体１の重心Ｇとキャスターローラ８の間に略円弧状に形成した凹部２３を設けている。
【００３３】
充電台１３において、上ケース１４の載置部１６近傍に凸部２４を形成し、前記凸部２４の載置部側の面を鉛直面とすると共に、上面には、掃除機本体１を充電状態にする時キャスターローラ８、又は凹部２３を引掛けることができる引掛け部２５を設けている。
【００３４】
上記構成による作用は以下のとおりである。
【００３５】
掃除機本体１の内部の二次電池３を充電する時、掃除状態のまま把手部６を持ち、本体傾斜状態のままで掃除機本体１を凸部２４近傍に下ろすと、キャスターローラ８或いは凹部２３が凸部２４に設けた引掛け部２５と当接し、保持される。その状態から把手部６を持つ力を緩めていくと、掃除機本体１の重心位置Ｇは、保持されている位置より後方にある為、掃除機本体１後部が凸部２４へ向かって回動し（図１１矢印方向ｄ、図１２矢印方向ｅ）、直立状態になるとキャスターローラ８或いは凹部２３が引掛け部２５から外れ、掃除機本体１は載置部１６に誘導され、本体端子部１１が充電端子部１９に係合し、本体端子１０が充電端子１８と接触して充電状態になる。
【００３６】
したがって、充電する時も掃除状態のまま掃除機本体１の上方にある把手部６を握り、持ち上げることができるので、容易に把手部６を握ることができる。
【００３７】
また、掃除機本体１の重心位置Ｇが掃除機本体１幅方向の略中央にあり、本体端子部１１の外郭周囲を傾斜面１２で形成しているので、バランス良く掃除機本体１を持つことができ、充電時、端子部同士がずれても傾斜面１２が誘いとなり、端子部同士を合わせるように狙うことなく、掃除機本体１を充電台１３の載置部１６近傍に適当に置くだけで確実かつ容易に充電状態にすることができる。
【００３８】
さらに、凸部２４に設けた引掛け部２５にキャスターローラ８或いは凹部２３を引掛ける構成としているので、本体傾斜状態から自然に直立状態に移行させることができ、楽に充電状態にすることができる。
【００３９】
また、集塵部蓋５と把手部６を一体的に形成しているので、成型工数や組立工数を減少することができ安価にできる。集塵把手部７と把手部６が重なるように配置しているので、強度が十分確保できるとともに、厚みが増すため掴んだ際の感触が良化する。
【００４０】
なお、本実施例では、凹部２３を重心位置Ｇとキャスターローラ８の間に設けたが、キャスターローラ８の前方に設けても同様の効果が得られるのは言うまでもない。
【００４１】
【発明の効果】
以上のように本発明によれば、充電時に使い勝手の良い電気掃除機を提供できる。
【図面の簡単な説明】
【図１】本発明の第１の実施例における掃除機本体の側面図
【図２】同掃除機本体の側面図（持ち上げ時）
【図３】同掃除機本体及び充電台の側面図（掃除機本体を充電台に仮載置した時）
【図４】同掃除機本体の充電状態を示す側面図（掃除機本体を充電台に載置した時）
【図５】同集塵部の斜視図
【図６】同掃除機本体後方の部分斜視図
【図７】同充電台の斜視図
【図８】同充電台の中央断面図
【図９】本発明の第２の実施例における掃除機本体の側面図
【図１０】同充電台の中央断面図
【図１１】同掃除機本体及び充電台の側面図（キャスターローラ引掛け時）
【図１２】同掃除機本体及び充電台の側面図（凹部引掛け時）
【図１３】従来の掃除機本体の斜視図
【符号の説明】
１  掃除機本体
２  電動送風機
３  二次電池
４  集塵部
５  集塵部蓋
６  把手部
７  集塵把手部
８  キャスターローラ
１０  本体端子
１１  本体端子部
１２  傾斜面
１３  充電台
１６  載置部
１７  保持部Ａ
２１  保持部Ｂ
２３  凹部
２４  凸部
【図１】
2004229711.tif 000003
【図２】
2004229711.tif 000004
【図３】
2004229711.tif 000005
【図４】
2004229711.tif 000006
【図５】
2004229711.tif 000007
【図６】
2004229711.tif 000008
【図７】
2004229711.tif 000009
【図８】
2004229711.tif 000010
【図９】
2004229711.tif 000011
【図１０】
2004229711.tif 000012
【図１１】
2004229711.tif 000013
【図１２】
2004229711.tif 000014
【図１３】
2004229711.tif 000015